(57)【要約】【課題】撮像装置付き携帯電話機において、ユーザの希望に応じて撮影可能枚数又は撮影済枚数を表示する。【解決手段】撮像装置付き携帯電話機１において、ＣＰＵ１１は、画像メモリ１９の空き容量を検出し（ステップＳ１）、その画像メモリ１９の空き容量に基づいてカメラモードにおける撮影可能枚数を算出する（ステップＳ２）。算出された撮影可能枚数はＲＡＭ１６に格納される。次に、入力部１２に備えるモード切替スイッチによりカメラモードに設定されているかを判別する（ステップＳ３）。カメラモードに設定され、（ステップＳ３；ＹＥＳ）、入力部１２に備える撮影可能枚数を表示させるための枚数表示スイッチが押下されると（ステップＳ４；ＹＥＳ）、表示部１３にＲＡＭ１６に格納された撮影可能枚数を表示させる（ステップＳ５）。【選択図】　図３
2004147061.tif 000002
【特許請求の範囲】
【請求項１】
被写体を撮影する撮像装置と、撮影された画像データを記憶する記憶部とを備える撮像装置付き携帯電話機であって、
前記記憶部の空き容量に基づいて撮影可能枚数を算出する撮影可能枚数算出手段と、
表示部と、
算出された前記撮影可能枚数を表示させる操作指示を入力する入力部と、
前記操作指示が入力された場合に、算出された前記撮影可能枚数を前記表示部に表示させる表示制御手段と、
を備えることを特徴とする撮像装置付き携帯電話機。
【請求項２】
被写体を撮影する撮像装置と、撮影された画像データを記憶する記憶部とを備える撮像装置付き携帯電話機であって、
前記記憶部に記憶された前記画像データに基づいて撮影済枚数を算出する撮影済枚数算出手段と、
表示部と、
算出された前記撮影済枚数を表示させる操作指示を入力する入力部と、
前記操作指示が入力された場合に、算出された前記撮影済枚数を前記表示部に表示させる表示制御手段と、
を備えることを特徴とする撮像装置付き携帯電話機。
【請求項３】
被写体を撮影する撮像装置と、撮影された画像データを記憶する記憶部とを備える撮像装置付き携帯電話機であって、
前記記憶部に記憶された前記画像データに基づいて撮影済枚数を算出する撮影済枚数算出手段と、
表示部と、
当該撮像装置付き携帯電話機の動作モードを、前記撮像装置を動作させるモードに設定するモード切替スイッチと、
前記撮像装置を動作させるモードに設定された場合に、算出された前記撮影済枚数を前記表示部に表示させる表示制御手段と、
を備えることを特徴とする撮像装置付き携帯電話機。
【発明の詳細な説明】
【０００１】
【発明の属する技術分野】
本発明は、撮像装置付き携帯電話機に関する。
【０００２】
【従来の技術】
近年、デジタルカメラ等の撮像装置は、高機能化、低価格化が進み、急速に普及しつつある。デジタルカメラは、ＣＣＤ（Ｃｈａｒｇｅ　Ｃｏｕｐｌｅｄ　Ｄｅｖｉｃｅ）等の撮像素子を用いて被写体像を電気信号に変換し、これにより得られた画像データを半導体メモリや磁気ディスク等の記憶媒体に記録することができる。デジタルカメラは、撮影時に撮影画像を画面上に表示したり、必要のない撮影画像のデータを消去したりすることが容易である。
【０００３】
ところで、一般に、デジタルカメラには、装置本体に撮影モード、画質モード、電池残容量等の撮影動作に関する情報を表示するためのデータ表示部が備えられている。このデータ表示部に、記憶媒体の空き容量から算出した撮影可能枚数を表示するデジタルカメラが開示されている（例えば、特許文献１参照。）。撮影可能枚数を確認しながら撮影することができるため、記憶容量不足で撮影の機会を逃してしまうことを回避することができる。
【０００４】
また、デジタルカメラの小型化、軽量化に伴い、他の電子機器との機能の複合化が進んでいる。例えば、携帯電話やＰＨＳ（Ｐｅｒｓｏｎａｌ　Ｈａｎｄｙｐｈｏｎｅ　Ｓｙｓｔｅｍ）等の通信端末機（以下、統括して「携帯電話機」と称す。）にデジタルカメラを内蔵した撮像装置付き携帯電話機が提案されている。
【０００５】
【特許文献１】
特開２００１−６９４４２号公報
【０００６】
【発明が解決しようとする課題】
しかしながら、撮像装置付き携帯電話機の表示部には、多種多様な情報が表示されているため、さらに撮影可能枚数が表示されると、表示部に表示される情報量が多く、見づらい場合があった。特に、カメラ使用時には撮影された画像が表示部に表示されるので、撮影された画像に多くの情報が重なって表示され、画像の表示を妨げる原因となっていた。
【０００７】
本発明は以上の従来技術における問題に鑑みてなされたものであって、撮像装置付き携帯電話機において、ユーザの希望に応じて撮影可能枚数又は撮影済枚数を表示することが可能な撮像装置付き携帯電話機を提供することを課題とする。
【０００８】
【課題を解決するための手段】
以上の課題を解決するための請求項１記載の発明は、
被写体を撮影する撮像装置と、撮影された画像データを記憶する記憶部とを備える撮像装置付き携帯電話機であって、
前記記憶部の空き容量に基づいて撮影可能枚数を算出する撮影可能枚数算出手段と、
表示部と、
算出された前記撮影可能枚数を表示させる操作指示を入力する入力部と、
前記操作指示が入力された場合に、算出された前記撮影可能枚数を前記表示部に表示させる表示制御手段と、
を備えることを特徴とする撮像装置付き携帯電話機である。
【０００９】
したがって、請求項１記載の発明によれば、撮影可能枚数を表示させるために予め定められた操作指示が入力された場合に、撮影可能枚数を表示部に表示させることが可能となる。その結果、ユーザは撮影可能枚数の表示を希望する時に撮影可能枚数を確認しながら撮影することができ、良好な撮影機会を逃すことがない。また、前記操作指示が入力されない場合には、撮影可能枚数が表示部に表示されないので、ユーザが撮影可能枚数の表示を希望しない時には、表示部において無駄に場所を取ることがない。
【００１０】
請求項２記載の発明は、
被写体を撮影する撮像装置と、撮影された画像データを記憶する記憶部とを備える撮像装置付き携帯電話機であって、
前記記憶部に記憶された前記画像データに基づいて撮影済枚数を算出する撮影済枚数算出手段と、
表示部と、
算出された前記撮影済枚数を表示させる操作指示を入力する入力部と、
前記操作指示が入力された場合に、算出された前記撮影済枚数を前記表示部に表示させる表示制御手段と、
を備えることを特徴とする撮像装置付き携帯電話機である。
【００１１】
したがって、請求項２記載の発明によれば、撮影済枚数を表示させるために予め定められた操作指示が入力された場合に、撮影済枚数を表示部に表示させることが可能となる。その結果、ユーザは撮影済枚数の表示を希望する時に撮影済枚数を確認しながら撮影することができる。トータルの撮影可能枚数がわかっていれば、残りの撮影可能枚数を予測することができ、良好な撮影機会を逃すことがない。また、前記操作指示が入力されない場合には、撮影済枚数が表示部に表示されないので、ユーザが撮影済枚数の表示を希望しない時には、表示部において無駄に場所を取ることがない。
【００１２】
請求項３記載の発明は、
被写体を撮影する撮像装置と、撮影された画像データを記憶する記憶部とを備える撮像装置付き携帯電話機であって、
前記記憶部に記憶された前記画像データに基づいて撮影済枚数を算出する撮影済枚数算出手段と、
表示部と、
当該撮像装置付き携帯電話機の動作モードを、前記撮像装置を動作させるモードに設定するモード切替スイッチと、
前記撮像装置を動作させるモードに設定された場合に、算出された前記撮影済枚数を前記表示部に表示させる表示制御手段と、
を備えることを特徴とする撮像装置付き携帯電話機である。
【００１３】
したがって、請求項３記載の発明によれば、撮像装置を動作させるモード、すなわちカメラモードに設定された場合に、撮影済枚数を表示部に表示させることが可能となる。その結果、ユーザは撮影済枚数を確認しながら撮影することができる。トータルの撮影可能枚数がわかっていれば、残りの撮影可能枚数を予測することができ、良好な撮影機会を逃すことがない。また、カメラモードに設定されていない場合には、撮影済枚数が表示部に表示されないので、表示部において無駄に場所を取ることがない。
【００１４】
【発明の実施の形態】
以下、図を参照して本発明の実施の形態を詳細に説明する。ただし、発明の範囲は、図示例に限定されない。
【００１５】
〔実施の形態１〕
まず、実施の形態１につき、図１〜図４を参照して説明する。
図１に、本実施の形態における撮像装置付き携帯電話機１（以下、「携帯電話機１」と省略して記す。）の外観構成を示す。図１に示すように、携帯電話機１は、筐体１０と、入力部１２と、表示部１３と、撮影部１７と、電源部１８と、アンテナ１４１とを備える。
【００１６】
図１（ａ）に示すように、携帯電話機１の正面には、入力部１２及び表示部１３が配設されている。また、図１（ｂ）に示すように、携帯電話機１の背面には、撮影部１７が設けられている。また、筐体１０の背面には、充電パック等の電源部１８が着脱可能に設けられている。携帯電話機１の上部には、アンテナ１４１が配設され、筐体１０内に設けられる略円筒状のアンテナ孔（図示せず）に引き出し可能に格納されている。
【００１７】
図２に、図１に示す携帯電話機１の機能的構成を示す。図２に示すように、携帯電話機１は、ＣＰＵ（Ｃｅｎｔｒａｌ　Ｐｒｏｃｅｓｓｉｎｇ　Ｕｎｉｔ）１１、入力部１２、表示部１３、無線通信部１４、ＲＯＭ（Ｒｅａｄ　Ｏｎｌｙ　Ｍｅｍｏｒｙ）１５、ＲＡＭ（Ｒａｎｄｏｍ　Ａｃｃｅｓｓ　Ｍｅｍｏｒｙ）１６、撮影部１７、電源部１８、画像メモリ１９等を備えて構成され、各部はバス２１により接続されている。
【００１８】
ＣＰＵ１１は、入力部１２から入力される各種指示又は無線通信部１４から入力されるデータに従って、ＲＯＭ１５に記録されている携帯電話機１に対応する各種プログラムの中から指定されたプログラムをＲＡＭ１６のワークエリアに展開し、上記プログラムとの協働によって各種処理を実行し、その処理結果をＲＡＭ１６の所定の領域に格納するとともに、表示部１３に表示させる。
【００１９】
入力部１２は、テンキー、各種機能スイッチ、通話モード及びカメラモードの切り替えを行うモード切替スイッチ、画像の撮影時に使用するレリーズスイッチ等を備え、各キー操作による押下信号をＣＰＵ１１に出力する。
【００２０】
表示部１３は、ＬＣＤ（Ｌｉｑｕｉｄ　Ｃｒｙｓｔａｌ　Ｄｉｓｐｌａｙ）パネル等により構成され、ＣＰＵ１１から入力される表示データに基づいて画面表示を行う。また、表示部１３は、撮影時に撮影部１７の撮像素子から取り込まれた画像データをプレビュー表示するとともに、撮影した画像データを表示する。
【００２１】
無線通信部１４は、無線基地局（図示せず）との間で着信・発信等に係る無線信号の送受信を行うアンテナ１４１を備え、ＣＰＵ１１から入力される指示に従って、無線基地局との間でＩＭＴ−２０００（Ｉｎｔｅｒｎａｔｉｏｎａｌ　Ｍｏｂｉｌｅ　Ｔｅｌｅｃｏｍｍｕｎｉｃａｔｉｏｎｓ−２０００）準拠の通信方式（例えば、Ｗ−ＣＤＭＡやｃｄｍａ２０００）に対応する携帯電話用の通信プロトコルを実行し、この通信方式で設定される通信チャネルにより、送受話音声の送受信やデータ通信を実行する。
【００２２】
ＲＯＭ１５は、不揮発性の半導体メモリで構成される。ＲＯＭ１５は、ＣＰＵ１１により実行される携帯電話用の各種アプリケーションプログラムや通信処理プログラム等を記憶する。
【００２３】
ＲＡＭ１６は、書き換え可能な半導体素子で構成される。ＲＡＭ１６は、データが一時的に保存される記憶媒体であり、ＣＰＵ１１が実行するためのプログラムを展開するためのプログラムエリア、入力部１２や無線通信部１４から入力されるデータやＣＰＵ１１による各種処理結果等を保存するためのデータエリア、等が形成される。
【００２４】
撮影部１７は、ガラス及び／又はプラスチックからなる光学レンズ、及びＣＣＤ（Ｃｈａｒｇｅ　Ｃｏｕｐｌｅｄ　Ｄｅｖｉｃｅ）やＣＭＯＳ（Ｃｏｍｐｌｅｍｅｎｔａｒｙ　Ｍｅｔａｌ　Ｏｘｉｄｅ　Ｓｅｍｉｃｏｎｄｕｃｔｏｒ）等の撮像素子により構成され、光学レンズを介して入力される画像を撮像素子で電気信号に変換し、画像データを生成する。
【００２５】
電源部１８は、例えば、リチウム電池、ニッケル電池、ニカド電池等の２次電池により構成され、電源が投入されると、ＣＰＵ１１の制御に応じて、プラス側の端子及びマイナス側の端子から、携帯電話機１の各部を駆動する駆動回路に所定電圧の電源を供給する。
【００２６】
画像メモリ１９は、磁気ディスク、半導体メモリ等が用いられ、撮影部１７により撮影された画像データを記憶している。
【００２７】
次に、本実施の形態の動作を説明する。
なお、動作説明の前提として、以下のフローチャートに記述されている各処理を実現するためのプログラムは、携帯電話機１のＣＰＵ１１が読み取り可能なプログラムコードの形態でＲＯＭ１５に格納されており、ＣＰＵ１１は、当該プログラムコードに従った動作を逐次実行する。
【００２８】
図３は、本実施の形態においてＣＰＵ１１により実行される処理を示すフローチャートである。
図３に示すように、ＣＰＵ１１は、画像メモリ１９の空き容量を検出し（ステップＳ１）、その画像メモリ１９の空き容量に基づいてカメラモードにおける撮影可能枚数を算出する（ステップＳ２）。算出された撮影可能枚数はＲＡＭ１６に格納される。次に、ＣＰＵ１１は、入力部１２に備えるモード切替スイッチによりカメラモードに設定されているかを判別する（ステップＳ３）。カメラモードに設定されている場合には（ステップＳ３；ＹＥＳ）、入力部１２に備える撮影可能枚数を表示させるための枚数表示スイッチが押下されたかを判別する（ステップＳ４）。枚数表示スイッチが押下されると（ステップＳ４；ＹＥＳ）、表示部１３にＲＡＭ１６に格納された撮影可能枚数を表示させる（ステップＳ５）。
【００２９】
撮影可能枚数の表示形式の一例を図４に示す。図４は、撮影可能枚数が１０枚の場合を示している。
【００３０】
したがって、本実施の形態の携帯電話機１によれば、枚数表示スイッチが押下された場合に、画像メモリ１９の空き容量に基づいて算出された撮影可能枚数を表示部１３に表示させることができる。その結果、ユーザは撮影可能枚数の表示を希望する時に枚数表示スイッチを押下して、撮影可能枚数を確認しながら撮影することができ、画像メモリ１９の容量不足で撮影の機会を逃してしまうことを回避することができる。また、枚数表示スイッチが押下されない場合には、撮影可能枚数が表示部１３に表示されないので、ユーザが撮影可能枚数の表示を希望しない時には、表示部１３において無駄に場所を取ることがない。
【００３１】
〔実施の形態２〕
次に、本発明の実施の形態２につき、図１、図２及び図５を参照して説明する。図１に示す携帯電話機１の概観構成及び図２に示す携帯電話機１の機能的構成については、実施の形態１と同様であるので、説明を省略する。
【００３２】
図５は、本実施の形態においてＣＰＵ１１により実行される処理を示すフローチャートである。実施の形態１では、カメラモード設定後、入力部１２に備える撮影可能枚数を表示させるための枚数表示スイッチが押下された場合に表示部１３に撮影可能枚数を表示させたが、本実施の形態では、カメラモード設定後、入力部１２に備える撮影済枚数を表示させるための枚数表示スイッチが押下された場合に撮影済枚数を表示させる。
図５に示すように、ＣＰＵ１１は、画像メモリ１９に記憶された画像データを取り込み（ステップＳ１１）、その画像データに基づいてカメラモードにおける撮影済枚数を算出する（ステップＳ１２）。算出された撮影済枚数はＲＡＭ１６に格納される。次に、ＣＰＵ１１は、入力部１２に備えるモード切替スイッチによりカメラモードに設定されされているかを判別する（ステップＳ１３）。カメラモードに設定されている場合には（ステップＳ１３；ＹＥＳ）、入力部１２に備える撮影済枚数を表示させるための枚数表示スイッチが押下されたかを判別する（ステップＳ１４）。枚数表示スイッチが押下されると（ステップＳ１４；ＹＥＳ）、表示部１３にＲＡＭ１６に格納された撮影済枚数を表示させる（ステップＳ１５）。
【００３３】
したがって、本実施の形態の携帯電話機１によれば、枚数表示スイッチが押下された場合に、画像メモリ１９に記憶された画像データに基づいて算出された撮影済枚数を表示部１３に表示させることができる。その結果、ユーザは撮影済枚数の表示を希望する時に枚数表示スイッチを押下して、撮影済枚数を確認しながら撮影することができる。トータルの撮影可能枚数がわかっていれば、残りの撮影可能枚数を予測することができ、画像メモリ１９の容量不足で撮影の機会を逃してしまうことを回避することができる。また、枚数表示スイッチが押下されない場合には、撮影済枚数が表示部１３に表示されないので、ユーザが撮影済枚数の表示を希望しない時には、表示部１３において無駄に場所を取ることがない。
【００３４】
〔実施の形態３〕
次に、本発明の実施の形態３につき、図１、図２及び図６を参照して説明する。図１に示す携帯電話機１の概観構成及び図２に示す携帯電話機１の機能的構成については、実施の形態１と同様であるので、説明を省略する。
【００３５】
図６は、本実施の形態においてＣＰＵ１１により実行される処理を示すフローチャートである。実施の形態２では、カメラモード設定後、入力部１２に備える撮影済枚数を表示させるための枚数表示スイッチが押下された場合に撮影済枚数を表示させたが、本実施の形態では、カメラモードに設定された場合に表示部１３に撮影済枚数を表示させる。実施の形態２と同様の部分には、実施の形態２と同一符号を付し、その説明を省略する。
図６に示すように、ＣＰＵ１１は、入力部１２に備えるモード切替スイッチによりカメラモードに設定されされているかを判別する（ステップＳ１３）。カメラモードに設定されている場合には（ステップＳ１３；ＹＥＳ）、表示部１３に撮影済枚数を表示させる（ステップＳ１５）。
【００３６】
したがって、本実施の形態の携帯電話機１によれば、撮影部１７を動作させるカメラモードに設定された場合に、画像メモリ１９に記憶された画像データに基づいて算出された撮影済枚数を表示部１３に表示させることができる。その結果、ユーザは撮影済枚数を確認しながら撮影することができる。トータルの撮影可能枚数がわかっていれば、残りの撮影可能枚数を予測することができ、画像メモリ１９の容量不足で撮影の機会を逃してしまうことを回避することができる。また、カメラモードに設定されていない場合には、撮影済枚数が表示部１３に表示されないので、表示部１３において無駄に場所を取ることがない。
【００３７】
なお、上記の各実施の形態における記述は、本発明にかかる好適な携帯電話１の一例であり、これに限定されるものではない。
例えば、実施の形態１においては、枚数表示スイッチが押下された場合に、撮影可能枚数を表示させる構成として説明を行ったが、これに限らず、その他入力部１２に備える所定のキーが押下されることにより撮影可能枚数又は撮影済枚数を表示させる構成であっても良い。
【００３８】
あるいは、上記の各実施の形態における枚数表示処理は、ユーザの設定に応じて実行される構成であってもよい。これにより、ユーザが、好ましいと判断した場合には、撮影可能枚数又は撮影済枚数を表示させることができ、好ましくないと判断した場合には、撮影可能枚数又は撮影済枚数を表示させない構成とすることができるため、ユーザの使用目的に応じて撮影可能枚数又は撮影済枚数を表示させることができ、利便性の良い携帯電話機１を提供することができる。
【００３９】
その他、上記の各実施の形態における携帯電話機１の細部構成、及び詳細動作に関しては、本発明の趣旨を逸脱しない範囲で適宜変更可能である。
【００４０】
【発明の効果】
上述したように、請求項１記載の発明によれば、撮影可能枚数を表示させるために予め定められた操作指示が入力された場合に、撮影可能枚数を表示部に表示させることが可能となる。その結果、ユーザは撮影可能枚数の表示を希望する時に撮影可能枚数を確認しながら撮影することができ、良好な撮影機会を逃すことがない。また、前記操作指示が入力されない場合には、撮影可能枚数が表示部に表示されないので、ユーザが撮影可能枚数の表示を希望しない時には、表示部において無駄に場所を取ることがない。
【００４１】
上述したように、請求項２記載の発明によれば、撮影済枚数を表示させるために予め定められた操作指示が入力された場合に、撮影済枚数を表示部に表示させることが可能となる。その結果、ユーザは撮影済枚数の表示を希望する時に撮影済枚数を確認しながら撮影することができる。トータルの撮影可能枚数がわかっていれば、残りの撮影可能枚数を予測することができ、良好な撮影機会を逃すことがない。また、前記操作指示が入力されない場合には、撮影済枚数が表示部に表示されないので、ユーザが撮影済枚数の表示を希望しない時には、表示部において無駄に場所を取ることがない。
【００４２】
上述したように、請求項３記載の発明によれば、撮像装置を動作させるモード、すなわちカメラモードに設定された場合に、撮影済枚数を表示部に表示させることが可能となる。その結果、ユーザは撮影済枚数を確認しながら撮影することができる。トータルの撮影可能枚数がわかっていれば、残りの撮影可能枚数を予測することができ、良好な撮影機会を逃すことがない。また、カメラモードに設定されていない場合には、撮影済枚数が表示部に表示されないので、表示部において無駄に場所を取ることがない。
【図面の簡単な説明】
【図１】（ａ）は、本発明の実施の形態における携帯電話機１を正面（表示部側）から見た図である。（ｂ）は、本発明の実施の形態における携帯電話機１を背面（撮影部側）から見た図である。
【図２】図１に示す携帯電話機１の機能的構成を示すブロック図である。
【図３】実施の形態１においてＣＰＵ１１により実行される処理を示すフローチャートである。
【図４】実施の形態１における携帯電話機１の撮影可能枚数の表示形式の一例を示す図である。
【図５】実施の形態２においてＣＰＵ１１により実行される処理を示すフローチャートである。
【図６】実施の形態３においてＣＰＵ１１により実行される処理を示すフローチャートである。
【符号の説明】
１　　　携帯電話機
１０　　筐体
１１　　ＣＰＵ
１２　　入力部
１３　　表示部
１４　　無線通信部
１４１　アンテナ
１５　　ＲＯＭ
１６　　ＲＡＭ
１７　　撮影部
１８　　電源部
１９　　画像メモリ
２１　　バス
【図１】
2004147061.tif 000003
【図２】
2004147061.tif 000004
【図３】
2004147061.tif 000005
【図４】
2004147061.tif 000006
【図５】
2004147061.tif 000007
【図６】
2004147061.tif 000008